(57)【特許請求の範囲】
【請求項１】
ビニールが躯体に張装されるハウスの妻面又は前記妻面に対して左右の側面の壁部に設置されるヒートポンプユニットであって、
前記ハウスの前記壁部の内側に設けられる室内機と、
前記ハウスの前記壁部の外側に設けられ、前記室内機の背面に対向する背面を有する室外機と、
前記室内機と前記室外機とが載置されることで前記室内機と前記室外機とが一体的に組付けられ、前記ハウスの前記壁部の下方に配置される架台と、
前記ヒートポンプユニットから引き出されているケーブルの先端に設けられている、防水製でなる電源プラグと、
前記壁部を構成する前記ビニールが接着又は捲装により取り付けられていると共に、前記壁部を構成する前記ビニールが前記室内機と前記室外機との間に配置されるように前記架台に設けられている、鉄パイプでなる取付部材と、
を備える、ヒートポンプユニット。
【請求項２】
前記妻面又は前記側面には、前記ハウスの外側に突出する凸壁部が形成され、
前記凸壁部には、前記室内機がセットされている、請求項１に記載のヒートポンプユニット。
【請求項３】
前記妻面又は前記側面には、前記ハウスの内側に凹む凹壁部が形成され、
前記凹壁部には、前記室外機がセットされている、請求項１に記載のヒートポンプユニット。
【請求項４】
前記架台は、
少なくとも、二本のチャンネル鋼材を長手方向に配されている下部部材と、
前記下部部材に差し渡された、少なくとも、四本のチャンネル鋼材を短手方向に配されている上部部材と、
を有し、
前記室内機及び前記室外機は、前記上部部材に取り付けられている、請求項１から３のいずれか一項に記載のヒートポンプユニット。
【請求項５】
前記下部部材は、長手方向に長短自在に構成されている、請求項４に記載のヒートポンプユニット。
【請求項６】
前記上部部材は、短手方向に長短自在に構成されている、請求項４又は５に記載のヒートポンプユニット。
【発明の詳細な説明】
【技術分野】
【０００１】
本発明は、ハウスのどこでも使用が可能なヒートポンプユニット（ヒートポンプ）に関する。
【背景技術】
【０００２】
近時、地球環境の維持（地球の生態系の維持）と、又は石油燃料の高騰を背景として、この種のヒートポンプを始めとして、暖房機、地中熱、他の熱源を選択的に使用して、燃料の効率化、かつＣＯ２削減（ＣＯ２の発生抑制）を図る構成としたハウス内の暖房装置がある。この中で、使用が簡便で、効率的に暖房ができること、又は前述した地球環境維持と、ＣＯ２削減に有益であること等の面から、ヒートポンプが重宝されている。
また、近時、要望されつつあるのが、ヒートポンプを、簡易に移動できること、又は設置と場所を変更することが容易であること、等に関することである。所謂、使い勝手が良い構造である。
【０００３】
この要望に応え得る構造を、先行文献を参考として検討すると、次のような発明がある。
【０００４】
発明１（文献１）は、特開２０１１−１８８７８５号公報に記載の構造であって、その要旨は、共通架台（１８）に室外ユニット（２）と、室内ユニット（１）を一体型に設けた構成であり、ハウスの適所に移動可能な構造である。但し、室内外ユニット（１）、（２）を、ハウス（２０）の壁面の外側に配備し、室内ユニット（１）の開口とハウス（２０）の壁の開口とをダクト（１６）で繋ぐ構成（図１１の例）である。
【０００５】
発明２（文献２）は、特開２００３−３３３９３７号公報に記載の構造であって、ハウスより小型の育成室（２）に、支持台（３）を配備し、支持台３に室内外機（１１Ａ）、（１１Ｂ）「空調機（１１）」を設け、この室内外機（１１Ａ）、（１１Ｂ）の間に、シート（４）を設けることで、室内機（１１Ａ）を、育成室（２）内に、室外機（１１Ｂ）を、育成室（２）外に、それぞれ設ける構成である。この空調機（１１）は、ヒートポンプとは異なり、通常、云われている空調機である。支持台（３）の移動はない（図１の例）。
【先行技術文献】
【特許文献】
【０００６】
【特許文献１】特開２０１１−１８８７８５号公報
【特許文献２】特開２００３−３３３９３７号公報
【発明の概要】
【発明が解決しようとする課題】
【０００７】
前記文献（１）は、ハウスの適所に移動可能としても、室内外ユニット（１）、（２）は、ハウス外に設置される構造であり、ダクト（１６）で繋ぐ必要があり、手間を要すること、室内機が剥き出し式であり、雨水対策を要し、面倒であり、かつ故障の原因となること、等の改良の余地がある。
【０００８】
また、文献（２）は、ハウスに採用するには、構造上で問題があり、かつ実質的に育成室という限定された使用である。また、空調機も、ヒートポンプとは異なることは明白である。
【課題を解決するための手段】
【０００９】
上記に鑑み、本発明は、ヒートポンプを、簡易に移動できること、又は設置と場所を変更することが容易であること、等に関する。所謂、使い勝手が良い構造である。即ち、「どこでもヒーポンユニット」をトラクターで移動し、その後、電源を繋ぐだけで、どこでもヒートポンプの使用が可能な構造を提案する。
【発明の効果】
【００１０】
本発明に係るヒートポンプユニットは、
ビニールが躯体に張装されるハウスの妻面又は前記妻面に対して左右の側面の壁部に設置されるヒートポンプユニットであって、
前記ハウスの前記壁部の内側に設けられる室内機と、
前記ハウスの前記壁部の外側に設けられ、前記室内機の背面に対向する背面を有する室外機と、
前記室内機と前記室外機とが載置されることで前記室内機と前記室外機とが一体的に組付けられ、前記ハウスの前記壁部の下方に配置される架台と、
前記ヒートポンプユニットから引き出されているケーブルの先端に設けられている、防水製でなる電源プラグと、
前記壁部を構成する前記ビニールが接着又は捲装により取り付けられていると共に、前記壁部を構成する前記ビニールが前記室内機と前記室外機との間に配置されるように前記架台に設けられている、鉄パイプでなる取付部材と、
を備える。
本発明に係るヒートポンプユニットは、ヒートポンプを、簡易に移動できること、又は設置と場所を変更することが容易であること、等の特徴がある。従って、ヒートポンプは、使い勝手が良い構造である。さらに、「どこでもヒーポンユニット」をトラクターで移動し、その後、電源を繋ぐだけで、どこでもヒートポンプの使用が可能な構造であり、有益性を有する。
【００１１】
本発明に係るヒートポンプユニットは、どこでもヒートポンプの使用が可能な構造であり、有益性を有すること、並びにこの特徴と有益性を確保するために、最適な室内外機とビニールとの連携構造を提案できる。
【００１２】
前記妻面又は前記側面には、前記ハウスの外側に突出する凸壁部が形成され、
前記凸壁部には、前記室内機がセットされていてもよい。
この場合、どこでもヒートポンプの使用が可能な構造であり、有益性を有すること、並びにこの特徴と有益性を確保するために、最適な妻面に、凸壁部の形成を提案できる。
【００１３】
前記妻面又は前記側面には、前記ハウスの内側に凹む凹壁部が形成され、
前記凹壁部には、前記室外機がセットされていてもよい。
この場合、どこでもヒートポンプの使用が可能な構造であり、有益性を有すること、並びにこの特徴と有益性を確保するために、最適な妻面に、凹壁部の形成を提案できる。
【００１４】
前記架台は、
少なくとも、二本のチャンネル鋼材を長手方向に配されている下部部材と、
前記下部部材に差し渡された、少なくとも、四本のチャンネル鋼材を短手方向に配されている上部部材と、
を有し、
前記室内機及び前記室外機は、前記上部部材に取り付けられていてもよい。
この場合、どこでもヒートポンプの使用が可能な構造であり、有益性を有すること、並びにこの特徴と有益性を確保するために、最適な架台の構造を提案できる。
【００１５】
前記下部部材は、長手方向に長短自在に構成されていてもよい。
この場合、どこでもヒートポンプの使用が可能な構造であり、有益性を有すること、並びにこの特徴と有益性を確保するために、最適な架台の構造を提案できる。
【００１６】
前記上部部材は、短手方向に長短自在に構成されていてもよい。
この場合、どこでもヒートポンプの使用が可能な構造であり、有益性を有すること、並びにこの特徴と有益性を確保するために、最適な架台の構造を提案できる。
【図面の簡単な説明】
【００１７】
【図１】本発明のヒートポンプユニットの一例を示した側面模式図
【図２】本発明のヒートポンプユニットの一例を示した平面模式図
【図３】本発明のヒートポンプユニットの室外機を、架台の一方側に取付ける状態を示した正面（ハウス外より視た）模式図
【図４】本発明のヒートポンプユニットの室内機を、架台の他方側に取付ける状態を示した正面（ハウス内より視た）模式図
【図５】本発明のヒートポンプユニットの架台の一例を示した側面模式図
【図６】本発明のヒートポンプユニットの架台の一例を示した平面模式図
【図７−１】本発明の架台の下部部材が、長短する一例を示した平面模式図
【図７−２】本発明の架台の上部部材が、長短する一例を示した平面模式図
【図８】本発明の設置例１を示したハウスの側面模式図
【図９】本発明の設置例１を示したハウスの平面模式図
【図１０】本発明の設置例２を示したハウスの側面模式図
【図１１】本発明の設置例２を示したハウスの平面模式図
【発明を実施するための形態】
【００１８】
以下、本発明の各実施例を説明する。各実施例は、好ましい、一例であり、以下の説明に限定されない。
【００１９】
図１〜図６に示したヒートポンプユニットＡは、後述する構成でなる架台１と、架台１の長手方向１ａの一方側１−１（ハウスＢ内に収まる側）の上部部材１０１に、着脱自在に取付けた室内機２と、この架台１の長手方向１ａの他方側１−２（ハウスＢ外に設けられる側）の上部部材１０１に、着脱自在に取付けた室外機３と、で構成される。
【００２０】
架台１は、少なくとも、二本のチャンネル鋼材を長手方向１ａに配した下部部材１００と、下部部材１００に差渡した、少なくとも、四本のチャンネル鋼材を短手方向１ｂに配した上部部材１０１とで構成する。尚、一例であるが、下部部材１００の長手方向１ａの寸法は、一例では、１６００ｍｍ程度とする。また、上部部材１０１の短手方向１ｂの寸法は、一例では、９００ｍｍ程度とする。この一例では、下部部材１００と上部部材１０１は、溶接で固定するが、組付け方式、螺子留め方式、或いは嵌合方式でも可能である。
【００２１】
この架台１の一方側１−１の第１上部部材１０１には、室内機２の下端の脚板２００（支持ブラケット）を螺子５留めで取付ける。また、架台１の他方側１−２の第１上部部材１０１には、室外機３の下端の脚板３００（支持ブラケット）を螺子５留めで取付ける。
【００２２】
図３と図４は、架台１の一方側１−１の上部部材１０１に室内機２を取付け、架台１の他方側１−２の上部部材１０１に室外機３を取付けた、各一例であり、好ましいヒートポンプユニットＡの取付け方を示している。
【００２３】
また、図７−１、図７−２に示した、下部部材１００と上部部材１０１とは、それぞれ長短自在（長さを変更できる）構造であり、例えば、下部部材１００（上部部材１０１）を、対とし（複数も可能）、第１下部部材１００と第２下部部材１００とし、この第１下部部材１００と第２下部部材１００とを、長孔１００ａ構造と止具１００ｂとにより、長手方向１ａにおいて、長短可能とする。これにより、室内機２、及び／又は、室外機３の位置を、長手方向１ａにおいて変更できる。また、上部部材１０１に設けた、対の（複数も可能）、第１上部部材１０１と第２上部部材１０１とし、第１上部部材１０１と第２上部部材１０１との端部において、長孔１０１ａ構造と止具１０１ｂとにより、短手方向１ｂにおいて、長短可能とする。これにより、室内機２、及び／又は、室外機３の位置を、短手方向１ｂにおいて変更できる。以上の構造を利用することで、それぞれのハウスＢの態様に沿って、本発明のヒートポンプユニットＡの設置が可能となる。
【００２４】
前述した架台１に室内外機２、３を取付けたヒートポンプユニットＡを、ハウスＢに設置するのに好ましい、設置例１、２を以下に説明する。
図８と図９に示した設置例１の構成は、ハウスＢの妻面Ｂ１００に、妻面Ｂ１００に跨るように架台ヒートポンプユニットＡを設置する一例であり、ハウスＢの妻面Ｂ１００に、凸壁部Ｂ１００ａを形成し、凸壁部Ｂ１００ａで、かつハウスＢ内側に、架台１の一方側１−１に取付けた室内機２を設置し、またハウスＢの妻面Ｂ１００で、かつ凸壁部Ｂ１００ａの外側に、架台１の他方側１−２に取付けた室外機３を設置した構造であり、ビニールＣの下端を、架台１の室内機２と室外機３で形成される隙間Ｈに設けた取付部材（架台１の短手方向１ｂに設けた、例えば、パイプ６）に、接着、又は捲装等を利用して取付け、かつ妻面Ｂ１００が地面、及び地面等と密着状態とする。従って、本発明は、ダクトレスである。その後、図示しないが、冷媒配管工事と防水型電源プラグを取付けて完了する。これにより、電源を繋ぐだけで、どこでもヒートポンプ使用が可能な構造である。また、本発明は、架台１の下部部材１００、及び／又は、上部部材１０１が長短自在であり、汎用性があり、かつ室内外機２、３の設置位置を変更でき、温度管理とか、設置の自由度、又は外気状況対応等に有益であり、重宝する。
【００２５】
図１０と図１１に示した設置例２の構成は、ハウスＢの妻面Ｂ１００に、妻面Ｂ１００に跨るようにヒートポンプユニットＡを設置する他の一例であり、ハウスＢの妻面Ｂ１００に、凹壁部Ｂ１００ｂを形成し、凹壁部Ｂ１００ｂで、かつハウスＢ内側に、架台１の一方側１−１に取付けた室内機２を設置し、またハウスＢの妻面Ｂ１００の凹壁部Ｂ１００ｂで、かつハウスＢの外側に、架台１の他方側１−２に取付けた室外機３を設置した構造であり、ビニールＣの下端を、架台１の室内機２と室外機３で形成される隙間Ｈに設けた取付部材（架台１の短手方向１ｂに設けた、例えば、パイプ６）に、接着、又は捲装等を利用して取付け、かつ妻面Ｂ１００のビニールＣが地面、及び地面等と密着状態とする。従って、本発明は、ダクトレスである。その他は、設置例１に準ずる。
【００２６】
以上で説明した、ヒートポンプユニットＡの構造と、その特徴、又は架台１の構造と、その特徴等の説明等は、好ましい一例を示したものである。従って、前述の条件に、何ら、拘泥される理由はなく、例えば、同様な効果と特徴を発揮できる、他の実施例や、その他の構造・手段は、本発明の範疇である。
【符号の説明】
【００２７】
１  架台
１００  下部部材
１００ａ  長孔
１００ｂ  止具
１０１  上部部材
１０１ａ  長孔
１０１ｂ  止具
１ａ  長手方向
１ｂ  短手方向
１−１  一方側
１−２  他方側
２  室内機
２００  脚板
３  室外機
３００  脚板
５  螺子
６  パイプ
Ａ  ヒートポンプユニット
Ｂ  ハウス
Ｂ１００  妻面
Ｂ１００ａ  凸壁部
Ｂ１００ｂ  凹壁部
Ｃ  ビニール
Ｈ  隙間
【図１】
0006561091.tif 000002
【図２】
0006561091.tif 000003
【図３】
0006561091.tif 000004
【図４】
0006561091.tif 000005
【図５】
0006561091.tif 000006
【図６】
0006561091.tif 000007
【図７−１】
0006561091.tif 000008
【図７−２】
0006561091.tif 000009
【図８】
0006561091.tif 000010
【図９】
0006561091.tif 000011
【図１０】
0006561091.tif 000012
【図１１】
0006561091.tif 000013